(57)【要約】  【課題】スキャンで取り込まれるイメージデータが蓄積されるイメージメモリとファクシミリ送信設定が格納されるメモリとがＦＡＸボードに搭載されたＦＡＸ装置でも、イメージデータの取り込みを中止することなく、より簡単な操作で出力設定を変更可能とする。  【解決手段】原稿スキャン中、メインコントロールボード１５０では、スキャナユニット１２０からのイメージデータがイメージメモリ１５４に蓄積されるとともに、設定情報格納メモリ１５３内の送信設定情報が、操作部１１０が受け付けた変更に応じて更新される。原稿スキャン中または原稿スキャン終了後、原稿設定情報格納メモリ１５３内の送信設定情報がＦＡＸボード１３０の設定情報格納メモリ１３２へ転送され、送信設定情報の転送完了後、イメージメモリ１５４内のイメージデータがＦＡＸボード１３０のイメージメモリ１３３へ転送される。【選択図】図１
2010226304.tif 000002
【特許請求の範囲】
【請求項１】
原稿のスキャンによりイメージデータを取り込むスキャナユニットと、
前記スキャナユニットが取り込み中のイメージデータのファックス送信に関する設定情報の変更指示を受け付ける操作部と、
前記スキャナユニットによるイメージデータ取り込み中に前記スキャナユニットから転送されるイメージデータが蓄積される第１イメージメモリと、前記第１イメージメモリに蓄積されるイメージデータのファクシミリ送信に関する設定情報が格納される第１設定情報格納メモリと、前記スキャナユニットによるイメージデータ取り込み開始後に、前記操作部から前記変更指示を受け付けると、前記変更指示により指定されるデータに応じて前記第１設定情報格納メモリ内の設定情報を変更する制御部と、を有するメインコントロールボードと、
前記メインコントロールボードから転送されるイメージデータが格納される第２イメージメモリと、前記メインコントロールボードから転送される前記第１設定情報格納メモリ内の設定情報が格納される第２設定情報格納メモリとを備え、前記第２設定情報格納メモリ内の設定情報にしたがって前記第２イメージメモリ内のイメージデータのファクシミリ送信処理を実行するＦＡＸボードと、
前記ＦＡＸボード、前記スキャナユニット及び前記操作部のそれぞれと前記メインコントロールボードとを個別につなぎ、前記メインコントロールボードを介して、前記ＦＡＸボード、前記スキャナユニット及び前記操作部の間でデータを転送する複数のバスと、を備え、
前記メインコントロールボードの制御部は、前記スキャナユニットによるイメージデータの取り込みが完了すると、前記第１イメージメモリ内のイメージデータを前記ＦＡＸボードの第２イメージメモリへ転送することを特徴とするファクシミリ装置。
【請求項２】
請求項１記載のファクシミリ装置であって、
前記操作部は、前記スキャナユニットが前記イメージデータの取り込み中であることを示すスキャン実行中画面を表示するタッチパネル式のディスプレイを備え、前記スキャン実行中画面に対するタッチ操作による前記変更データの入力を受け付けることを特徴とするファクシミリ装置。
【請求項３】
請求項１または２記載のファクシミリ装置であって、
ネットワークに接続されるネットワーク通信コントローラと、リムーバルメディアが装着されるリムーバルメディアコントローラと、を備え、
前記操作部は、前記スキャナユニットが取り込み中のイメージデータの出力先を、前記ＦＡＸボードから前記リムーバルメディアまたはネットワーク上のフォルダに変更する変更指示を受け付け、
前記メインコントロールボードの制御部は、前記ＦＡＸボードへの前記設定情報及び前記イメージデータの転送に代えて、前記第１イメージメモリ内のイメージデータを、前記操作部が受け付けた前記変更操作により指定される変更後の出力先に出力することを特徴とするファクシミリ装置。
【請求項４】
原稿のスキャンによりイメージデータを取り込むスキャナユニットと、
前記スキャナユニットによるイメージデータ取り込み中に前記スキャナユニットから転送されるイメージデータが蓄積される第１イメージメモリと、ネットワークに接続されるネットワーク通信コントローラと、リムーバルメディアが装着されるリムーバルメディアコントローラと、制御部と、を有するメインコントロールボードと、
前記メインコントロールボードから転送されるイメージデータが格納される第２イメージメモリを備え、前記第２イメージメモリ内のイメージデータのファクシミリ送信処理を実行するＦＡＸボードと、
前記スキャナユニットが取り込み中のイメージデータの出力先を、前記ＦＡＸボードから、前記リムーバルメディアまたはネットワーク上のフォルダに変更する変更指示を受け付ける操作部と、を有し、
前記メインコントロールボードの制御部は、前記スキャナユニットによるイメージデータの取り込み開始後に前記操作部が前記変更操作を受け付けると、前記第１イメージメモリ内のイメージデータを、前記ＦＡＸボードの前記第２イメージメモリに代えて、前記操作部が受け付けた前記変更操作により指定される変更後の出力先に出力することを特徴とするファクシミリ装置。
【発明の詳細な説明】
【技術分野】
【０００１】
本発明は、原稿のスキャンにより取り込まれるイメージデータが蓄積されるイメージメモリ及びファクシミリ送信設定が格納されるメモリがファクシミリボードに搭載されたファクシミリ装置においても、イメージデータの取り込みを中止することなく、より簡単な操作で出力設定を変更可能とする技術に関する。
【背景技術】
【０００２】
ファクシミリ装置のなかには、原稿のスキャン開始からイメージデータの送信開始までの間であっても、処理を中断することなく、ファクシミリ送信設定を変更可能なものがある。
【０００３】
例えば、特許文献１記載の画像形成装置は、複数の処理（印刷、内部メモリ保存、ファクシミリ送信、ネットワーク経由のデータ送信、赤外線送信）のうち、ファクシミリ送信を実行する場合、原稿のスキャン中または原稿のスキャン完了後の所定期間に外部メモリが装着されると、ファクシミリ送信に対応する設定データをこの外部メモリから読み出し、この設定データによりファクシミリ送信設定を変更する。また、外部メモリから読み取った設定データの一覧を表示しながらユーザからの設定データ変更指示を待ち、ユーザから設定変更指示があれば、この設定変更指示に応じた設定データによりファクシミリ送信設定をさらに変更する。そして、スキャン完了後の所定期間が経過すると、スキャンにより蓄積したデータを、最終設定データにしたがってファクシミリ送信する。
【先行技術文献】
【特許文献】
【０００４】
【特許文献１】特開２００８−１１８３０２号公報
【発明の概要】
【発明が解決しようとする課題】
【０００５】
ところが、ファクシミリ装置のなかには、ファクシミリ送受信に必要な構成（原稿のスキャンにより取り込まれるイメージデータが蓄積されるイメージメモリ、ファクシミリ送信設定の格納メモリ等）がすべてファクシミリボード（ＦＡＸボード）に搭載されているものがある。このようなファクシミリ装置（例えばオプションとしてＦＡＸボードが後付けされる複合機等）においては、原稿のスキャン中、取り込まれるイメージデータの転送によりメインコントロールボードとＦＡＸボードとの間のバスが占有されるため、ＦＡＸボードのメモリ内のファクシミリ送信設定を原稿のスキャン中に変更することは困難である。上記従来の技術は、このようなファクシミリ装置への適用を考慮しておらず、このようなファクシミリ装置においても、原稿のスキャン中のファクシミリ送信設定の変更を可能とする具体的な構成を開示していない。
【０００６】
また、上記従来の技術によれば、ファクシミリ送信設定を変更するには、画像形成装置への外部メモリの装着が必須となる。例えば、ユーザは、画像形成装置が保持するファクシミリ送信設定の初期値を変更しようとする場合、外部メモリ内の設定データを利用しないにも関わらず、画像形成装置に外部メモリを装着する必要がある。ユーザは、このような操作を煩わしく感じることがある。
【０００７】
そこで、本発明は、原稿のスキャンにより取り込まれるイメージデータが蓄積されるイメージメモリ及びファクシミリ送信設定が格納されるメモリがファクシミリボードに搭載されたファクシミリ装置においても、イメージデータの取り込みを中止することなく、より簡単な操作で出力設定を変更可能とすることを目的とする。
【課題を解決するための手段】
【０００８】
本発明の一つの態様に従うファクシミリ装置は、原稿のスキャンによりイメージデータを取り込むスキャナユニットと、前記スキャナユニットが取り込み中のイメージデータのファックス送信に関する設定情報の変更指示を受け付ける操作部と、前記スキャナユニットによるイメージデータ取り込み中に前記スキャナユニットから転送されるイメージデータが蓄積される第１イメージメモリと、前記第１イメージメモリに蓄積されるイメージデータのファクシミリ送信に関する設定情報が格納される第２設定情報格納メモリと、前記スキャナユニットによるイメージデータ取り込み開始後に、前記操作部から前記変更指示を受け付けると、前記変更指示により指定されるデータに応じて前記第１設定情報格納メモリ内の設定情報を変更する制御部と、を有するメインコントロールボードと、前記メインコントロールボードから転送されるイメージデータが格納される第２イメージメモリと、前記メインコントロールボードから転送される前記第１設定情報格納メモリ内の設定情報が格納される第２設定情報格納メモリとを備え、前記第２設定情報格納メモリ内の設定情報にしたがって前記第２イメージメモリ内のイメージデータのファクシミリ送信処理を実行するＦＡＸボードと、前記ＦＡＸボード、前記スキャナユニット及び前記操作部のそれぞれと前記メインコントロールボードとを個別につなぎ、前記メインコントロールボードを介して、前記ＦＡＸボード、前記スキャナユニット及び前記操作部の間でデータを転送する複数のバスと、を備え、前記メインコントロールボードの制御部は、前記スキャナユニットによるイメージデータの取り込みが完了すると、前記第１イメージメモリ内のイメージデータを前記ＦＡＸボードの第２イメージメモリへ転送する。
【０００９】
このようなファクスミリ装置によれば、原稿のスキャン中、スキャナユニットから取り込まれるイメージデータがメインコントロールボードの第１イメージメモリに蓄積され、原稿のスキャン完了後に、メインコントロールボードの第１イメージメモリ内のイメージデータがＦＡＸボードの第２イメージメモリに転送される。このため、メインコントロールボードからＦＡＸボードへのイメージ転送が開始するまで、メインコントロールボードとＦＡＸボードとの間のバスは設定情報の転送のために開放されている。すなわち、原稿のスキャンが開始後に、メインコントロールボードの第１設定情報格納メモリからＦＡＸボードの第２設定情報格納メモリに変更後の設定情報を転送することができる。したがって、メインコントロールボードとＦＡＸボードとの間のバスがイメージデータの転送により占有されるようなファクシミリ装置においても、ユーザは、原稿のスキャンを中止せずに、例えば、ＦＡＸ送信レポート出力の要否、リダイヤル回数、発信元記録の要否、海外送信の有無、送信先ＦＡＸ番号等の設定情報を自由に変更することができる。
【００１０】
好適な実施形態では、前記スキャナユニットが前記イメージデータの取り込み中であることを示すスキャン実行中画面を表示するタッチパネル式のディスプレイを前記操作部に設けて、前記操作部が、前記スキャン実行中画面に対するタッチ操作により前記変更データの入力を受け付けるようにしてもよい。
【００１１】
このようにすれば、ユーザは、ファクシミリ送信モード処理の進行状態を表示中のスキャン実行中画面上で（すなわち、わざわざ設定モードにはいることなく）、送信設定情報を簡単なワンタッチ操作で変更することができる。
【００１２】
本発明の一つの態様に従うファクシミリ装置は、原稿のスキャンによりイメージデータを取り込むスキャナユニットと、前記スキャナユニットによるイメージデータ取り込み中に前記スキャナユニットから転送されるイメージデータが蓄積される第１イメージメモリと、ネットワークに接続されるネットワーク通信コントローラと、リムーバルメディアが装着されるリムーバルメディアコントローラと、制御部と、を有するメインコントロールボードと、前記メインコントロールボードから転送されるイメージデータが格納される第２イメージメモリを備え、前記第２イメージメモリ内のイメージデータのファクシミリ送信処理を実行するＦＡＸボードと、前記スキャナユニットが取り込み中のイメージデータの出力先を、前記ＦＡＸボードから、前記リムーバルメディアまたはネットワーク上のフォルダに変更する変更指示を受け付ける操作部と、を有し、前記メインコントロールボードの制御部は、前記スキャナユニットによるイメージデータの取り込み開始後に前記操作部が前記変更操作を受け付けると、前記第１イメージメモリ内のイメージデータを、前記ＦＡＸボードの前記第２イメージメモリに代えて、前記操作部が受け付けた前記変更操作により指定される変更後の出力先に出力することを特徴とするファクシミリ装置が提供される。
【００１３】
このようなファクシミリ装置によれば、スキャンにより得られるイメージデータがファクシミリ送信の開始まではメインコントロールボードのイメージメモリに蓄積されているため、原稿のスキャンをやり直すことなく出力モードを途中変更することができる。
【発明の効果】
【００１４】
本発明によれば、原稿のスキャンにより取り込まれるイメージデータが蓄積されるイメージメモリ及びファクシミリ送信設定情報が格納されるメモリがＦＡＸボードに搭載されたファクシミリ装置においても、イメージデータの取り込みを中止せずに、より簡単な操作で出力設定を変更することができる。
【図面の簡単な説明】
【００１５】
【図１】図１は、本発明の一実施形態に係る複合機の概略構成図。
【図２】本発明の一実施形態に係るファクシミリ送信モード処理のフローチャート。
【図３】（Ａ）〜（Ｄ）は、本発明の一実施形態に係るファクシミリ送信モード処理の実行中に表示されるユーザインタフェースの切り替わり例を示した図。
【図４】（Ａ）は、スキャン実行中に表示される他のユーザインタフェース例、（Ｂ）は、ファックス送信待機中に表示される他のユーザインタフェース例を示した図。
【図５】本発明の他の実施形態に係るイメージデータ出力処理のフローチャート。
【図６】本発明の他の実施形態に係るイメージデータ出力処理の実行中に表示されるユーザインタフェース例を示した図。
【発明を実施するための形態】
【００１６】
以下、添付図面を参照しながら、本発明に係る一実施形態について説明する。
【００１７】
まず、本実施の形態に係るファクシミリ装置の構成について説明する。ここでは、ファクシミリ装置の一例として、ファクシミリ機能、イメージスキャナ機能等の事務機器機能が統合された複合機（ＭＦＰ）を挙げることとする。
【００１８】
図１に、本実施の形態に係る複合機の概略構成図を示す。
【００１９】
図示するように、この複合機１００は、ユーザの操作を受け付ける操作部１１０、原稿のスキャンによりイメージデータを取り込むスキャナユニット１２０、イメージデータをファクシミリ送受信するＦＡＸボード１３０、イメージデータを印刷するプリントエンジン１４０、複合機１００全体を制御するメインコントロールボード１５０、ハードディスク（不図示）、メインコントロールボード１５０と他の各部１１０〜１４０との間を個別に接続する専用のバス１６０Ａ〜１６０Ｄ、等を有している。
【００２０】
操作部１１０は、後述のユーザインタフェースが表示されるタッチパネル式のディスプレイ及び操作キーを有するコントロールパネル１１１、コントロールパネル１１１を制御するコントロールパネルコントローラ１１２等を備え、専用のバス１６０Ｄを介してコントロールパネル１１１の入出力データをメインコントロールボード１５０とやり取りする。
【００２１】
スキャナユニット１２０は、原稿台上の原稿または搬送中の原稿からイメージデータを読み込む通常のスキャナとしてのハードウエア構成（原稿台、光学系、ＡＤＦ等）を備え、読み込んだイメージデータを、専用のバス１６０Ｂを介してメインコントロールボード１５０に出力する。
【００２２】
ＦＡＸボード１３０は、専用のバス１６０Ａを介してメインコントロールボード１５０に接続される入出力インタフェース１３７、ファクシミリ送信に関する設定情報（ファクシミリ送信設定情報）がファックスジョブとして格納される設定情報格納メモリ１３２、イメージデータが格納されるイメージメモリ１３３、イメージデータの解像度を変換する画像処理部１３４、電話回線を介してイメージデータを送受信するＦＡＸ送受信部（モデム）１３５、送信イメージデータを圧縮または受信イメージデータを伸長する符号化・復号化回路１３６、これら各部１３２〜１３６を制御するＦＡＸ制御部１３１、等を備えている。なお、ＦＡＸ制御部１３１は、例えば、ＣＰＵ、通信プログラム等が格納されたプログラムメモリ、メインメモリ、データメモリ等により実現する。
【００２３】
プリントエンジン１４０は、搬送中の印刷用紙に画像を記録するための通常の印刷機構としてのハードウエア構成（用紙搬送機構、印字部、プリントコントローラ等）を備え、専用のバス１６０Ｃを介してメインコントロールボード１５０から転送される印刷データ（例えば、スキャナユニット１２０が取り込んだイメージデータ、ファクシミリ送受信に関するログデータ（ＦＡＸログデータ）等）を印刷する。
【００２４】
メインコントロールボード１５０は、ＵＳＢポートを有するＵＳＢコントローラ１５２、ネットワークインタフェースを有するネットワーク通信コントローラ（不図示）、ファクシミリ送信設定情報等が格納される設定情報格納メモリ１５３、スキャナユニット１２０からのイメージデータが格納されるイメージメモリ１５４、専用のバス１６０Ａを介してＦＡＸボード１３０が接続されるＦＡＸインタフェース１５５、専用のバス１６０Ｂを介してスキャナユニット１２０が接続されるスキャナインタフェース１５６、専用のバス１６０Ｃを介してプリントエンジン１４０が接続されるプリンタインタフェース１５７、専用のバス１６０Ｄを介して操作部１１０が接続されるコントロールパネルインタフェース１５８、これら各部１５２〜１５５を制御する制御部１５１、等を有している。なお、制御部１５１は、例えば、ＣＰＵ、複合機１００の制御プログラム等が格納されたプログラムメモリ、データメモリ、メインメモリ等により実現する。
【００２５】
この複合機１００においては、イメージデータのファクシミリ送信が開始するまであればいつでも、ユーザは、外部メモリ等の特別な外部機器を装着せずに、コントロールパネル１１１の簡単な操作のみで、ファクシミリ送信設定情報に含まれる各パラメータの値を変更することができる。つぎに、このようなファクシミリ送信モード処理について説明する。なお、ここでは、説明の便宜上、ファクシミリ送信設定情報に含まれるパラメータのうち、ファクシミリ送信終了後におけるＦＡＸ送信レポート出力の要否を表すパラメータ（レポート出力パラメータ）の値のみが途中変更可能な場合を一例として挙げる。
【００２６】
図２に、本実施の形態に係るファクシミリ送信モード処理のフローチャートを示し、図３に、このファクシミリ送信モード処理の実行中に表示される一連のユーザインタフェース例を示す。
【００２７】
複合機１００により原稿をファクシミリ送信するには、まず、ユーザは、スキャナユニット１２０に原稿をセットするとともに、コントロールパネル１１１のディスプレイ上の初期画面に表示された複数の出力モードボタンのなかからファクシミリ送信モードボタンを選択する必要がある。つづいてコントロールパネル１１１のディスプレイに表示されるＦＡＸ送信設定画面上において、ファクシミリ送信設定情報のパラメータのうちの少なくとも必須パラメータ（例えば送信先ＦＡＸ番号）に値を設定してから、コントロールパネル１１１のスタートキーを押すと、以下のファクシミリ送信モード処理が開始する。
【００２８】
コントロールパネルコントローラ１１２は、スタートボタンの押下を検知すると、その旨をメインコントロールボード１５０に通知するとともに、ファクシミリ送信設定情報の各パラメータの設定値をメインコントロールボード１５０に渡す。なお、ファクシミリ送信設定情報の任意パラメータ（例えば、レポート出力パラメータ、リダイヤル回数を表すリダイヤル回数パラメータ、発信元記録の要否を表す発信元記録パラメータ、海外送信の有無を表す海外送信パラメータ等）のうち、ユーザがＦＡＸ送信設定画面上で値を設定しなかったパラメータについては、デフォルト値（例えば、レポート出力パラメータ「ＯＦＦ」、リダイヤル回数パラメータ「０回」、発信元記録パラメータ「不要」、海外送信パラメータ「無」）が設定値としてメインコントロールボード１５０に渡される。ここでは、ユーザがレポート出力パラメータに値を設定しなかったために、レポート出力パラメータの設定値としてデフォルト値「ＯＦＦ」がメインコントロールボード１５０に渡されることとする。
【００２９】
メインコントロールボード１５０では、制御部１５１が、コントロールパネルコントローラ１１２からの通知を受け付けると、渡されるファクシミリ送信設定情報を設定情報格納メモリ１５３に格納する。また、スキャナユニット１２０を制御して、原稿のスキャンを開始する（Ｓ２００）。これによりスキャナユニット１２０から逐次出力されるイメージデータは、原稿のスキャンが完了するまで、メインコントロールボード１５０のイメージメモリ１５４に転送され蓄積されてゆく。
【００３０】
原稿のスキャンが開始すると、メインコントロールボード１５０からの指示に応じて、コントロールパネルコントローラ１１２は、ファクシミリ送信設定情報に含まれるパラメータ値の変更操作を受け付けるスキャン実行中画面をコントロールパネル１１１のディスプレイ上に表示する（Ｓ２０１）。
【００３１】
このスキャン実行中画面には、図３（Ａ）に示すように、原稿のスキャン実行中である旨のメッセージ、レポート出力パラメータ値を現在の設定値「ＯＦＦ」から「ＯＮ」に切り替えるための設定変更ボタン３００、原稿のスキャンを中止するための中止ボタン３０１が表示されている。ここで、設定変更ボタン３００上には、現在の設定値「ＯＦＦ」を表す文字列が表示されている。
【００３２】
例えば、ここで、ユーザが設定変更ボタン３００を押すと、コントロールパネルコントローラ１１２は、それを検知し（Ｓ２０２：Ｙｅｓ）、図３（Ｂ）に示すように、スキャン実行中画面の設定変更ボタン３００上の文字列「ＯＦＦ」を、レポート出力パラメータの新たな設定値「ＯＮ」を表す文字列に切り替えるとともに、レポート出力パラメータの新たな設定値「ＯＮ」をメインコントロールボード１５０に通知する。なお、ユーザが設定変更ボタン３００を複数回押した場合には、その都度、設定変更ボタン３００上の文字列の切り替え（「ＯＦＦ」から「ＯＮ」または「ＯＮ」「ＯＦＦ」）、レポート出力パラメータの新たな設定値（「ＯＦＦ」または「ＯＮ」）の通知が行われる。
【００３３】
メインコントロールボード１５０では、制御部１５１が、コントロールパネルコントローラ１１２からレポート出力パラメータの新たな設定値「ＯＮ」の通知を受け付けるごとに、設定情報格納メモリ１５３のファクシミリ送信設定情報のレポート出力パラメータの値を新たな設定値「ＯＮ」で更新する（Ｓ２０３）。
【００３４】
その後、制御部１５１は、スキャナユニット１２０から原稿のスキャン完了を通知されると（Ｓ２０４：Ｙｅｓ）、コントロールパネルコントローラ１１２にファクシミリ送信待機中画面への表示切り替えを指示する。スキャンした原稿の枚数が所定数以下のときには、原稿のスキャン完了の通知から所定時間（例えば約３秒間）が経過してからファクシミリ送信待機中画面への表示切り替えを指示するようにしてもよい。このようにすれば、原稿の枚数が少ない場合等においても、ユーザが余裕を持ってスキャン実行中画面上でファクシミリ送信設定情報の変更操作を行える程度の時間が確保される。
【００３５】
コントロールパネルコントローラ１１２は、メインコントロールボード１５０からの指示に応じて、ファクシミリ送信開始指示を受け付けるファクシミリ送信待機中画面をコントロールパネル１１１のディスプレイ上に表示する（Ｓ２０５）。
【００３６】
このファクシミリ送信待機中画面には、図３（Ｃ）に示すように、レポート出力パラメータの現在の設定値（ここでは「ＯＮ」）の確認及びファクシミリ送信開始指示の入力を促すメッセージ、ファクシミリ送信を開始させるための送信ボタン３０２、ファクシミリ送信を中止するための中止ボタン３０３が表示されている。ここで、ユーザが、メッセージにしたがって送信ボタン３０２を押すと、コントロールパネルコントローラ１１２は、送信ボタン３０２の押下を検知して（Ｓ２０６：Ｙｅｓ）、その旨をメインコントロールボード１５０に通知するとともに、図３（Ｄ）に示すファクシミリ送信中画面をコントロールパネル１１１のディスプレイ上に表示する（Ｓ２０７）。
【００３７】
メインコントロールボード１５０では、制御部１５１が、所定時間内にコントロールパネルコントローラ１１２からの通知を受け付けるか、または、所定時間内にコントロールパネルコントローラ１１２からの通知を受け付けずにタイムアウトすると、設定情報格納メモリ１５３からファクシミリ送信設定情報を読み出し、このファクシミリ送信設定情報の登録をＦＡＸボード１３０に指示する。ＦＡＸボード１３０では、ＦＡＸ制御部１３１が、このファクシミリ送信設定情報をファックスジョブとして設定情報格納メモリ１３２内に格納する（Ｓ２０８）。
【００３８】
ＦＡＸボード１３０へのファクシミリ送信設定情報の転送完了後、メインコントロールボード１５０では、制御部１５１が、ＦＡＸボード１３０にファクシミリ送信を指示し、イメージメモリ１５４からＦＡＸボード１３０のイメージメモリ１３３へのイメージデータの転送を開始する。
【００３９】
ＦＡＸボード１３０では、イメージメモリ１３３に格納されたイメージデータが、画像処理部１３４及び符号化・復号化部１３６により、適宜の解像度変換処理及びＦＡＸ送信先に応じた符号化方式による圧縮処理等が施された後、設定情報格納メモリ１３２内の対応ファクシミリ送信設定情報の送信先ＦＡＸ番号が示す送信先にＦＡＸ送受信部１３５からファクシミリ送信される（Ｓ２０９）。
【００４０】
イメージデータのファクシミリ送信が正常終了すると（Ｓ２１０：Ｙｅｓ）、ＦＡＸ制御部１３１は、ＦＡＸログデータ（ファクシミリ送信の終了ステータス、送信時間、送信先ＦＡＸ番号等）を保存するとともに、ファクシミリ送信の終了ステータス（正常終了）をメインコントロールボード１５０に通知する。これに応じて、メインコントロールボード１５０の制御部１５１は、ファクシミリ送信の正常終了をユーザに通知するため、例えばスピーカからの通知音の出力等の通常の通知処理を実行する。
【００４１】
一方、イメージデータのファクシミリ送信が正常終了しなければ（Ｓ２１０：Ｎｏ）、ＦＡＸ制御部１３１は、設定情報格納メモリ１３２内の対応ファクシミリ送信設定情報のリダイヤル回数パラメータ値が０回であるか否かを判断する（Ｓ２１３）。
【００４２】
ここでリダイヤル回数パラメータ値が０回であれば（Ｓ２１３：Ｙｅｓ）、ＦＡＸ制御部１３１は、ＦＡＸログデータを保存するとともに、ファクシミリ送信の終了ステータス（異常終了）をメインコントロールボード１５０に通知する。これに応じて、メインコントロールボード１５０の制御部１５１は、ファクシミリ送信の異常終了をユーザに通知するため、例えばスピーカからの通知音の出力等の通常の通知処理を実行する。
【００４３】
また、設定情報格納メモリ１３２内の対応ファクシミリ送信設定情報のリダイヤル回数パラメータ値が０回より大きければ（Ｓ２１３：Ｎｏ）、ＦＡＸ制御部１３１は、そのリダイヤル回数パラメータ値を１だけデクリメントして所定の時間の経過を待つ。このときユーザがレポート出力パラメータ値を変更できるように、スキャン実行中画面上の設定変更ボタン３００と同様な設定変更ボタン（レポート出力パラメータ値を現在の設定値から切り替えるための設定変更ボタン）が表示された画面がコントロールパネル１１１のディスプレイ上に表示されるようにしてもよい。この場合、設定変更ボタンが操作されるごとに、メインコントロールボード１５０の制御部１５１がレポート出力パラメータ値の変更をＦＡＸボード１３０に指示するようにすればよい。
【００４４】
そして、所定の時間が経過したら、ＦＡＸ制御部１３１は、イメージメモリ１３３内のイメージデータのファクシミリ送信を再実行する（Ｓ２１５）。その後、リダイヤル回数パラメータ値が０回になるまで（Ｓ２１３でＹｅｓとなるまで）、または、リダイヤル回数パラメータ値が０回になる前にイメージデータが正常終了するまで（Ｓ２１０でＹｅｓとなるまで）、Ｓ２１０以降の処理を繰り返す。
【００４５】
このようにしてファクシミリ送信が正常終了または異常終了すると、その後、ＦＡＸ制御部１３１は、設定情報格納メモリ１３２内の対応ファクシミリ送信設定情報のレポート出力パラメータの値が「ＯＮ」であるか否かを確認する（Ｓ２１１）。レポート出力パラメータの値が「ＯＮ」である場合のみ、ＦＡＸ制御部１３１は、メインコントロールボード１５０にＦＡＸ送信レポートの出力を指示して、ＦＡＸログデータ（ファクシミリ送信の終了ステータス、送信時間、送信先ＦＡＸ番号等）を渡す。これに応じて、メインコントロールボード１５０の制御部１５１は、プリントエンジン１４０を制御して、ＦＡＸログデータが記述されたＦＡＸ送信レポートを印刷する（Ｓ２１２）。
【００４６】
このようなファクスミリ装置によれば、原稿のスキャン中、スキャナユニットから取り込まれるイメージデータがメインコントロールボード１５０のイメージメモリ１５４に蓄積され、原稿のスキャン完了後、メインコントロールボード１５０のイメージメモリ１５４からＦＡＸボード１３０のイメージメモリ１３３へイメージデータが転送される。
【００４７】
このため、メインコントロールボード１５０とＦＡＸボード１３０との間のバス１６０Ａは、イメージデータ転送が開始するまで占有されることなく、ファクシミリ送信設定情報の転送ために開放されている。すなわち、原稿のスキャンが開始しても、ファクシミリ送信設定情報の変更後のパラメータ値をメインコントロールボード１５０からＦＡＸボード１３０へと転送することができる。したがって、原稿のスキャン開始後であっても、ユーザは、原稿のスキャンを中止せずに、原稿のスキャン開始前に設定したファクシミリ送信設定情報を自由に変更することができる。例えば、ユーザは、原稿のスキャンが開始された後にＦＡＸ送信レポートの出力が必要であることに気付いた場合等であっても、ファクシミリ送信終了後にＦＡＸ送信レポートが出力されるようにファクシミリ送信設定情報を途中変更することができ、利便性が高い。
【００４８】
また、ユーザは、ファクシミリ送信モード処理の進行状態を表示中の画面上で（すなわち、わざわざ設定モードにはいってＦＡＸ送信設定画面に切り替えることなく）、ファクシミリ送信設定情報を簡単なワンタッチ操作で変更することができる。また、設定データを変更するために外部メモリの装着を必須とする上記従来の技術とは異なり、他の外部機器を複合機１００に装着する必要もない。このため、本実施の形態に係るファクシミリ送信モード処理によれば、ファクシミリ送信設定情報の変更の操作性が向上する。
【００４９】
なお、本実施の形態においては、ファクシミリ送信設定情報に含まれるパラメータのうち、レポート出力パラメータの値のみ途中変更可能な場合を挙げたが、ファクシミリ送信設定情報に含まれる他のパラメータの値も同様に途中変更可能としてもよい。
【００５０】
例えば、レポート出力パラメータの他に、送信先ＦＡＸ番号、リダイヤル回数パラメータ、海外送信パラメータ及び発信元記録パラメータも途中変更可能とする場合には、Ｓ２０２において、図４（Ａ）に示すような、それぞれのパラメータの値を現在の設定値から他の値に変更するためのスキャン実行中画面を表示すればよい。このスキャン実行中画面には、例えば、送信先ＦＡＸ番号の入力フィールド４００、レポート出力パラメータの値（ＯＮ／ＯＦＦ）を切り替えるトグルボタン４０１、リダイヤル回数パラメータの値の入力を受け付ける入力フィールド４０２、海外送信パラメータの値（する／しない）を切り替えるトグルボタン４０３、発信元記録パラメータの値（する／しない）を切り替えるトグルボタン４０４が表示されており、各設定変更ツール４００〜４０４の初期状態は、対応するパラメータの現在の設定値を示している。
【００５１】
また、本実施の形態においては、ファクシミリ送信設定情報に含まれるパラメータの設定値の変更をスキャン実行中画面上でのみ受け付けるようにしているが、Ｓ２０６で表示されるファクシミリ送信待機中画面上でも受け付けるようにしてもよい。このようなファクシミリ送信待機中画面には、ＦＡＸ送信設定の確認を求めるメッセージとともに、スキャン実行中画面と同様な設定変更ツールを表示すればよい。
【００５２】
例えば、レポート出力パラメータ、送信先ＦＡＸ番号、リダイヤル回数パラメータ、海外送信パラメータ及び発信元記録パラメータをファクシミリ送信開始までの間に途中変更可能とする上述の場合には、図４（Ｂ）に示すように、スキャン実行中画面と同様な設定変更ツール４００〜４０４をファクシミリ送信待機中画面上に表示すればよい。
【００５３】
また、本実施の形態においては、原稿のスキャン完了後、メインコントロールボード１５０のイメージメモリ１３３からＦＡＸボード１３０のイメージメモリ１５４へイメージデータの転送を開始する直前のタイミング（Ｓ２０８）で、メインコントロールボード１５０の設定情報格納メモリ１５３内のファクシミリ送信設定情報をＦＡＸボード１３０の設定情報格納メモリ１３２へ転送しているが、必ずしも、このようにする必要はない。
【００５４】
例えば、原稿のスキャン開始から所定時間の経過、及び、原稿のスキャン完了のうち、早く到来したいずれかのタイミングで、メインコントロールボード１５０の設定情報格納メモリ１５３内のファクシミリ送信設定情報がＦＡＸボード１３０の設定情報格納メモリ１３２へ転送されるようにしてもよい。
【００５５】
また、イメージデータのファクシミリ送信中に、ファクシミリ送信中画面上で、ファクシミリ送信設定情報に含まれる送信先ＦＡＸ番号以外のパラメータ（例えば、レポート出力パラメータ、リダイヤル回数パラメータ等）の設定値の変更を受け付けるようにしてもよい。このようにするには、例えば、ファクシミリ送信中画面上における変更操作によりメインコントロールボード１５０の設定情報格納メモリ１５３のファクシミリ送信設定情報が更新されるごとに、メインコントロールボード１５０の設定情報格納メモリ１５３内の変更後のファクシミリ送信設定情報の内容がＦＡＸボード１３０の設定情報格納メモリ１３２のファクシミリ送信設定情報へと反映されるようにすればよい。
【００５６】
ところで、以上においては、原稿のスキャン開始後にファクシミリ送信設定を途中変更可能としているが、原稿のスキャン開始後に出力モードの途中変更を可能としてもよい。
【００５７】
つぎに、原稿のスキャン開始後に複合機１００の出力モードを上述のファクシミリ送信モードからその他の出力モードに途中変更する場合を一例に挙げて、複合機１００が変更後の出力モードでイメージデータを出力するイメージデータ出力処理について説明する。ここでは、上述のファクシミリ送信モード以外の出力モードの例として、イメージデータを指定フォルダまたはリムーバルメディア（ここではＵＳＢメモリ）に保存する保存モード（スキャンＴｏフォルダ、スキャンＴｏＵＳＢ）、イメージデータを電子メールで送信する電子メール送信モード（スキャンＴｏメール）を挙げる。
【００５８】
図５に、本実施の形態に係るイメージデータ出力処理のフローチャート、図６に、このイメージデータ出力処理の実行中に表示されるユーザインタフェース例を示す。
【００５９】
複合機１００は、上述のファクシミリ送信モード処理のＳ２００〜Ｓ２０１と同様な処理を実行することにより、原稿のスキャンを開始するとともに、コントロールパネル１１１のディスプレイ上にスキャン実行中画面を表示する（Ｓ５００）。ただし、ここで表示されるスキャン実行中画面には、図６（Ａ）に示すように、前述のスキャン実行中画面と同様の設定変更ボタン３００及び中止ボタン３０１の他、出力モードを現在の出力モード（ファクシミリ送信モード）から他の出力モード（保存モードまたは電子メール送信モード）に切り替えるための出力モード変更トグルボタン６００が表示されている。
【００６０】
例えば、ここで、ユーザが出力モード変更トグルボタン６００を操作しないか、または、出力モード変更トグルボタン６００の操作により出力モードを再びファクシミリ送信モードに切り替えると（Ｓ５０１：Ｙｅｓ）、上述のファクシミリ送信モード処理のＳ２０２〜Ｓ２１５と同様な処理が実行され、イメージデータがファクシミリ送信される（Ｓ５０２）。
【００６１】
一方、ユーザが、出力モード変更トグルボタン６００の操作によって出力モードをファクシミリ送信モード以外の出力モードに切り替えると（Ｓ５０１：Ｎｏ）、コントロールパネルコントローラ１１２は、変更後の出力モードをメインコントロールボード１５０に通知し、メインコントロールボード１５０からの指示に応じてスキャン実行中画面上の表示内容を切り替える（Ｓ５０３）。
【００６２】
例えば、ユーザが保存モードを選択した場合、スキャン実行中画面上の表示内容は、図６（Ｂ）に示すように切り替わる。このスキャン実行中画面上には、出力モード変更トグルボタン６００、設定変更ボタン３００、中止ボタン３０１が表示されておらず、保存モードの出力処理において用いられる出力設定情報の各パラメータ値を設定するための出力設定ツール６０１〜６０３、出力モード再変更のためにスキャン実行中画面の表示内容を図６（Ａ）の状態に戻すための戻るボタン６０４、等が表示されている。ここで表示される出力設定ツールには、例えば、イメージデータの保存先としてＵＳＢメモリ及びフォルダのいずれかを選択するための保存先変更トグルボタン６０１、イメージデータの保存先フォルダのパスを入力するための入力フィールド６０２、イメージデータの格納ファイルの形式を選択するためのファイル形式変更トグルボタン６０３、が含まれる。なお、入力フィールド６０２は、保存先変更トグルボタン６０１の操作によってイメージデータの保存先としてフォルダが選択されたときにアクティブ表示となる。
【００６３】
また、ユーザが電子メール送信モードを選択した場合、スキャン実行中画面上の表示内容は、図６（Ｃ）に示すように切り替わる。このスキャン実行中画面上には、出力モード変更トグルボタン６００、設定変更ボタン３００、中止ボタン３０１が表示されておらず、電子メール送信モードの出力処理において用いられる出力設定情報の各パラメータ値を設定するための出力設定ツール６０３,６０５、出力モード再変更のためにスキャン実行中画面の表示内容を図６（Ａ）の状態に戻すための戻るボタン６０４、等が表示されている。ここで表示される出力設定ツールには、例えば、イメージデータの送信先の電子メールアドレスを入力するための入力フィールド６０５、イメージデータの格納ファイル（添付ファイル）の形式を選択するためのファイル形式変更トグルボタン６０３、等が含まれる。なお、電子メールアドレスが登録された宛先帳データをメインコントロールボード１５０の制御部１５１が保持している場合には、この宛先帳データの電子メールアドレス一覧からいずれかの電子メールアドレスをイメージデータの送信先として選択するための宛先帳ボタン６０６が表示されていてもよい。
【００６４】
ユーザは、表示内容が切り替わったスキャン実行中画面上において、選択した新たな出力モードの出力設定情報の各パラメータ値を設定する必要がある。
【００６５】
その後、制御部１５１は、スキャナユニット１２０から原稿のスキャン完了を通知されると（Ｓ５０４）、イメージデータ出力待機中画面への表示切り替えをコントロールパネルコントローラ１１２に指示する。これによりコントロールパネル１１１のディスプレイに表示されたイメージデータ出力待機中画面上の出力開始ボタンが押下されると、コントロールパネルコントローラ１１２は、出力開始ボタンの押下を検知し、その旨をメインコントロールボード１５０に通知するとともに、変更後の出力モードの出力設定情報の各パラメータ値をメインコントロールボード１５０に渡す。
【００６６】
メインコントロールボード１５０では、制御部１５１が、コントロールパネルコントローラ１１２からの通知を受け付けると、原稿のスキャン中にイメージメモリ１５４に蓄積されたイメージデータ（ＲＡＷデータ）を読み出して、出力設定情報のパラメータが示すファイル形式による符号化処理（Ｓ５０５）を実行する。そして、符号化後のイメージデータが格納されたイメージデータファイルを生成する（Ｓ５０６）。その後、制御部１５１は、以下に示すように、変更後の出力モードに応じた出力処理によりイメージデータファイルを出力する。
【００６７】
変更後の出力モードが保存モードである場合には、制御部１５１は、このイメージファイルを、出力設定情報のパラメータが示す格納場所に保存する。具体的には、出力設定情報のパラメータが示す保存先がハードディスクまたはネットワーク上の指定のフォルダである場合（Ｓ５０７：Ｙｅｓ）には、そのフォルダにイメージデータファイルを保存し（Ｓ５０８）、出力設定情報のパラメータが示す保存先がＵＳＢメモリである場合（Ｓ５０７：Ｎｏ、Ｓ５０９：Ｙｅｓ）には、ＵＳＢポートに装着されたＵＳＢメモリにイメージデータファイルを保存する（Ｓ５１０）。
【００６８】
変更後の出力モードが電子メール送信モードである場合（Ｓ５０９：Ｎｏ）には、出力設定情報のパラメータが示すメールアドレス宛ての電子メールを生成し、この電子メールにイメージデータファイルを添付する（Ｓ５１１）。そして、この電子メールを、ネットワークインタフェースを介して送信する（Ｓ５１２）。
【００６９】
このようなイメージデータ出力処理によれば、複合機１００がファクシミリ送信モードの動作を開始しても、スキャンにより得られるイメージデータがファクシミリ送信の開始までメインコントロールボード１５０のイメージメモリ１５４に蓄積されているため、ファクシミリ送信の開始までであれば、原稿のスキャンをやり直すことなく複合機１００の出力モードを途中変更することができる。
【００７０】
なお、以上においては、イメージデータのファクシミリ送信を開始する前にファクシミリ送信モードから他の出力モードに出力モードを途中変更する場合を例に挙げたが、上述のファクシミリ送信モード処理のファクシミリ再送処理（Ｓ２１５）において出力モードの変更を受け付けるようにしてもよい。このようにするには、イメージデータのファクシミリ送信が終了するまで、メインコントロールボード１５０のイメージメモリ１５４にイメージデータを（ＲＡＷデータ）保持しておき、ファクシミリ再送処理（Ｓ２１５）において出力モードの変更を受け付けたら、Ｓ５０３以降の処理と同様な処理を実行するようにすればよい。このようにすれば、例えば、ある人に対するイメージデータのファクシミリ送信が異常終了した場合、ユーザは、そのイメージデータを、その人の電子メールアドレス宛に送信することができる。
【００７１】
また、原稿のスキャン開始後に、ファクシミリ送信モードに他の出力モードを追加設定できるようにしてもよい。この場合には、原稿のスキャン中、追加出力モードの設定を受け付けるスキャン実行中画面を表示するようにすればよい。そして、このスキャン実行中画面上で追加出力モードが設定されなければ、上述のファクシミリ送信モード処理のＳ２０２〜Ｓ２１５を実行してイメージデータをファクシミリ送信する。一方、スキャン実行中画面上で追加出力モードが設定されれば、スキャン実行中画面の表示内容が、追加出力モードの出力情報の各パラメータ値を設定するためのものに切り替わるようにすればよい。そして、原稿のスキャン完了後、上述のファクシミリ送信モード処理のＳ２０５〜Ｓ２１５を行い、つづけて、上述のイメージデータ出力モード処理のＳ５０５〜Ｓ５１２を実行するようにすればよい。
【符号の説明】
【００７２】
１００：複合機、１１０：操作部、１１１：コントロールパネル、１１２：コントロールパネルコントローラ、１２０：スキャナユニット、１３０：ＦＡＸボード、１３１：ＦＡＸ制御部、１３２：設定情報格納メモリ、１３３：イメージメモリ、１３４：画像処理部、１３５：ＦＡＸ送受信部、１３６：符号化・復号化回路、１３７：入出力インタフェース、１４０：プリントエンジン、１５０：メインコントロールボード、１５１：制御部、１５２：ＵＳＢコントローラ、１５３：設定情報格納メモリ、１５４：イメージメモリ、１５５：ＦＡＸインタフェース、１５６：スキャナインタフェース、１５７：プリンタインタフェース、１５８：コントロールパネルインタフェース、１６０Ａ〜１６０Ｄ：バス
【図１】
2010226304.tif 000003
【図２】
2010226304.tif 000004
【図３】
2010226304.tif 000005
【図４】
2010226304.tif 000006
【図５】
2010226304.tif 000007
【図６】
2010226304.tif 000008